(57)【要約】【課題】  粘着を有する膜部材や、滑り止め材などの他の材料を用いることなく、定規本体に押圧穴を設けることで、定規の滑りを阻止するようにした滑り止め付き定規の提供を目的とする。【解決手段】  直線や曲線を描くための定規本体に、親指と人差指とを広げて押し付けると共に、それらの指の腹を、前記定規本体の裏面側に突出させるための、第１の押圧穴と同じく第２の押圧穴とからなる押圧穴を設けることで、滑り止め定規とした。  広げた状態の親指で第１の押圧穴を、人差指で第２の押圧穴を押圧することにより、定規本体と線を描くための素材との両方を押し付けて、両者の滑りを阻止した。【選択図】        図１
2007038618.tif 000002
【特許請求の範囲】
【請求項１】
離間した任意の間隔内に、直線あるいは曲線を描くための定規本体と、
この定規本体に第１の指を押し付けて、押し付けたその指の腹側を前記定規本体の裏面側に突出させる第１の押圧穴と、この第１の押圧穴とは離間して配設すると共に、前記第１の指と同様に第２の指を押し付けて、その指の腹側を押し付けた前記定規本体の裏面側に突出させる第２の押圧穴とからなる押圧穴とを設けた滑り止め付き定規。
【請求項２】
離間した任意の間隔内に、直線あるいは曲線を描くための定規本体と、
この定規本体に第１の指を押し付けて、押し付けたその指の腹側を前記定規本体の裏面側に突出させてその断面を傾斜させた第１の押圧穴と、この第１の押圧穴とは離間して配設すると共に、前記第１の指と同様に第２の指を押し付けて、その指の腹側を押し付けた裏面側に突出させてその断面を傾斜させた第２の押圧穴とからなる押圧穴とを設けた滑り止め付き定規。
【請求項３】
離間した任意の間隔内に、直線あるいは曲線を描くための定規本体と、
この定規本体に第１の指を押し付けて、押し付けたその指の腹側を前記定規本体の裏面側に突出させる第１の押圧穴と、この第１の押圧穴とは離間して配設すると共に、前記第１の指と同様に第２の指を押し付けて、その指の腹側を押し付けた前記定規本体の裏面側に突出させる長円形の第２の押圧穴とからなる押圧穴とを設けた滑り止め付き定規。
【請求項４】
離間した任意の間隔内に、直線あるいは曲線を描くための定規本体と、
この定規本体に離間させた第１の指と第２の指とを押し付けて、押し付けたそれらの指の腹側を押し付けた前記定規本体の裏面側に突出させる１つの長円形よりなる押圧穴とを設けた滑り止め付き定規。
【発明の詳細な説明】
【技術分野】
【０００１】  本発明は、互いに離間した間隔内に、直線や曲線を描くために用いる定規が、使用中に滑らないように改善した滑り止め付き定規に関する。
【背景技術】
【０００２】  従来の一般的な滑り止め定規としては、定規の裏面側に摩擦材を貼り付けることが知られている。しかし、常に摩擦効果が生じているために、使いにくいものであった。
そこで、必要な場合にのみ定規に設けた滑り止め構造を用いて、滑り止めを行う定規もある。例えば３個の貫通孔を設けて２枚重ねした部材間に、粘着作用を有する膜部材を設けた滑り止め定規である。
膜部材１４は、弾力層２６の両面に粘着層２２、２４を設けたものであり、この粘着層が２枚重ねした第１の板状部材１２と第２の板状部材１６とに接合して両者を一体化させるものである。
このような定規の前記貫通孔１８に、人差指と中指及び薬指を入れて膜部材１４を押圧すると、滑り止めとなるものである。（例えば特許文献１参照）
〔特許文献１〕    実開平６−１２０９１号公報（第２頁、図１）
【発明の開示】
【発明が解決しようとする課題】
【０００３】  特許文献１に示す滑り止め機構付定規１０は、定規となる板状部材を２枚重ねして、その間に膜部材１４を設けなければならない。
しかも膜部材１４は、弾力層の両面に粘着層を設けなければならないので、高価になるばかりでなく製造も困難であった。更に定規の貫通孔１８から、露出した状態の粘着層は、使用により粘着層が劣化するものであり、永続的な使用は不可能であった。
本発明は、このような不具合を解消するためになされたものであり、構造が簡単で粘着を有する膜部材などのように、他の部材を不要とした滑り止め付き定規の提供を目的とする。
【発明を解決するための手段】
【０００４】  上記不具合を解決するために、本発明は次のような構成としている。
請求項１に記載した滑り止め付き定規は、直線や曲線を描くための定規本体に、第１の指と第２の指とを押し付けて、押し付けたそれらの指の腹を突出させる第１の押圧穴と第２の押圧穴とからなる押圧穴を設けることで滑り止め付き定規とした。
定規に設けた第１の押圧穴と第２の押圧穴とに指を押し付けると、それぞれの指の腹が、定規の裏面側に突出して、定規と線を描く素材とを、同時に押え付けるようにしたものであり、特別な摩擦材などを必要とすることの無い滑り止め付き定規である。
請求項２に記載した滑り止め付き定規は、請求項１に記載した押圧穴の断面を傾斜して設けたことで、指と定規との当接面を増やして、定規を更に確実に押えるようにしたものであり、板厚の厚い定規に適する。
請求項３に記載した滑り止め付き定規は、請求項１及び請求項２に記載した第２の押圧穴を長円形とすることで、指の間隔の相違を吸収できるように対応したものであり、使用者の都合の良い間隔に指を開いて使用することができる。
請求項４に記載した滑り止め付き定規は、滑り止めに用いる２本の指に対応する押圧穴を１個の長円形としたものであり、形状の単純なスリット状の穴だけで対応することができるものである。
【発明の効果】
【０００５】  本発明によれば、定規の裏面側に２本の指の腹を突出させる押圧穴を設けたことにより、以下の効果を得ることができた。
すなわち、定規本体に押圧穴を設けるだけであるから、金属製や合成樹脂製の定規であっても、定規の形成と同時に押圧穴も形成することが可能であり、製造が容易で安価な滑り止め付き定規である。
大人用の押圧穴と子供用の押圧穴とを、同時に形成することもできるので、指の間隔や大きさにかかわらずに、それらに対応した押圧穴を簡単に作ることができる。
親指を開いた状態で用いることができる本発明の滑り止め付き定規は、押圧穴の間隔が離れているので、広い間隔で定規を押えることが可能であり、使用中の定規を安定した状態で押圧支持することができる等の効果を得ることができた。
【発明を実施するための最良の形態】
【０００６】  本発明について、図面を参照して説明する。図１は本発明の滑り止め付き定規を示す斜視図、図２は図１の変形例を示す斜視図、図３は図１の使用例を示す説明図、図４は図３の作用を説明する説明図である。
図１で示すように、本発明の滑り止め付き定規１０は、定規本体１２に使用中の滑りを防止する押圧穴１４を設けたものである。押圧穴１４は、定規本体の中央部よりで、略対称的に設けた貫通穴よりなり、この押圧穴１４を指で押えて用いる。
このような定規本体１２と押圧穴１４とについて、更に詳細に説明する。
定規本体１２は、少なくともその一辺側に目盛を設けた目盛形成部１３を備えた直線定規や三角定規あるいは雲形定規などであり、図１は直線定規を例に説明している。
押圧穴１４は、少なくとも２つの穴よりなり、第１の押圧穴１６と第２の押圧穴１８とからなる。これらの各押圧穴は、手の親指を開いた状態で、親指と他の指、例えば人差指や中指などのうち、どちらか一方の指を用いて、図３で示すように押える穴である。
また、これらの押圧穴１４は、穴を押さえた場合に押えた指の腹が裏面側に突出するように形成している。定規本体１２の板厚が薄い場合は、単なる貫通した穴でも良いが、合成樹脂製の定規のように、板厚が厚い場合は、穴の周囲を傾斜させた皿形の貫通穴に形成すると都合が良い。
これは、傾斜して指との当接面を広くした押圧穴１４は、確実な押圧ができるからである。
従って、図１で示す第１の押圧穴１６の外周囲には、傾斜１５させた傾斜面を設けている。また、第２の押圧穴１８にも同様に傾斜１９を設けることで、押圧により突出させた指の腹の周囲で、傾斜１７、１９を押えることができるから、確実に定規本体１２の滑りを防止するようにしている。【０００７】  図２を参照して、図１で示した滑り止め付き定規１０の変形例を説明する。
図２で示す滑り止め付き定規２０は、前述例と同様に目盛形成部２３を有する定規本体２２と、この定規本体に設けた押圧穴２４とからなる。押圧穴２４は２種類の穴の形で形成され、親指専用となる第１の押圧穴２６と、人差指または中指専用となる第２の押圧穴２８とからなる押圧穴２４である。
親指専用となる第１の押圧穴２６は、親指の腹に合せて略円形に、第２の押圧穴２８は人差指などに合せて、楕円形にすることで、各指の腹が密着するように設けている。
このような押圧穴２４は、使用に際して定規本体の一方の辺は使い易いが、他方の辺を用いると穴の関係が逆転して指の形に合わなくなる。
従って、使い易くする目的で、２組の押圧穴２４を設けている。すなわち、図２で示すように実線で示した第１の押圧穴２６と第２の押圧穴２８とからなる１組目の押圧穴２４と、図中の点線で示す第１の押圧穴２６と同じく点線で示す第２の押圧穴２８とから２組目の押圧穴２４の２組である。
２組の押圧穴を設けて使い分けることにより、定規本体のどちら側の辺も同じ条件で使用することができる。これは、押圧穴と指とのより良い密着性を求めて、それぞれの指の形に合せて押圧穴の形状を設定したからである。但し、１組の押圧穴で良いことはもちろんである。【０００８】  このように構成した滑り止め付き定規１０、２０の使用例について、図面を参照して説明する。
図３で示すように、図１及び図２で示した滑り止め付き定規を使用するには、定規本体１２に設けた第１の押圧穴１６と第２の押圧穴１８とに、親指を広げた状態の親指２と人差指４とを押し付けて使用する。このような状態から、従来例と同様にして定規にそって線を引くものである。
このような使用方法によれば、図４で示すように押圧した指の腹５は、定規本体１２の裏面側に突出した状態に設定され、突出した指の腹５の部分で、線を描く素材である紙などを、直接押し付けることができると共に、押圧穴に入り込んだ指の腹５の外周部分で、傾斜１９を含んで定規本体を確実に押え付けることができる。
換言すれば、本発明の定規を用いると、定規本体と紙などの素材の両方を、直接押えることができるだけでなく、定規本体を移動困難な傾斜面を有する皿形の押圧穴とその周辺部とで、立体的に押えることで、定規の滑りと素材の移動とを確実に阻止することができるものである。【０００９】  本発明の他の例について、図面を参照して説明する。図５は本発明の他の例の滑り止め付き定規を示す一部破断斜視図、図６は同じく図５の変形例を示す一部破断斜視図である。
図５で示すように、本発明の他の例で示す滑り止め付き定規３０は、前述例と同様の目盛形成部３３を設けた定規本体３２と、２本の指で押える押圧穴３４とからなる。
定規本体３２は、前述例と同様であるから、押圧穴３４について説明する。押圧穴３４は、親指で押える第１の押圧穴３６と、人差指などで押える長円形に形成した第２の押圧穴３８とからなる。
第１の押圧穴３６は、前述例と同様で傾斜３７を有する皿形の押圧穴である。
第２の押圧穴３８は、手の大きさや広げた指の間隔の違いにも、対応できるように長円形としたもので、第１の押圧穴３６に近い方の円径を小さくすると共に、反対側の円径を少し大きくして、両者を直線で結ぶことにより、スリット状の長円形による押圧穴としている。このような第２の押圧穴３８の外周にも傾斜３９を設けることは、前述例と同様である。
このような押圧穴３４によれば、広げた指の間隔の違いすべてに対して、対応することができると共に、使用する指の間隔が短い子供用の指にも適応するように、親指に近いところから離れるに従って、円径を大きく設定している。【００１０】  本発明の他の例で示す滑り止め付き定規の変形例について、図面を参照して説明する。
図６で示すように、本発明の他の例で示す滑り止め付き定規４０は、図５で示したと同様に、目盛形成部４３を有する定規本体４２に、この定規本体を押圧する押圧穴４４を設けたものである。
定規本体４２は、前述例と同じであるからその説明を省略し、押圧穴４４について説明する。
押圧穴４４は、第１の押圧穴４６と、第２の押圧穴４８とからなり、第１の押圧穴４６は、図５で示した第１の押圧穴３６と同じであるから、相違する第２の押圧穴４８について説明する。
第２の押圧穴４８は、ひょうたん形を連続させた穴の形状である。このひょうたんの径は、図５の例と同様に、第１の押圧穴４６に近い方の径は小さくて、離れるに従ってその径を大きく設定している。
このひょうたん形を連続させた穴の外周囲に、傾斜４９を設けることは、前述例と同様である。
このようなひょうたん形の穴形状にすると、図５で示した第２の押圧穴３８よりも、指との密着性が向上して、より確実に定規のすべりを阻止することができる。【００１１】  本発明のその他の例の滑り止め付き定規５０について、図面を参照して説明する。図７は本発明のその他の例の滑り止め付き定規を示す一部破断斜視図である。
図７で示すように、本発明のその他の例で示す滑り止め付き定規５０は、前述例と同様に、目盛形成部５３を有する定規本体５２に、この定規本体を押圧する押圧穴５４を設けたものである。
この押圧穴５４は、前述例と異なり１つのスリット状の穴よりなり、このスリット状の長円形内に、親指と人差指などの２本の指で押圧して使用するものである。
このスリット状の穴の外周囲に傾斜５５を設けることも、前述例と同様であり、このような押圧穴５４によれば、金型などの構造が簡単にできるという特徴を持っている。【００１２】  以上説明したように、従来の定規本体を押えるだけでは、線を描くための素材と定規間で、滑りを生じさせ易かったが、本発明の押圧穴を設けた定規では、定規本体と素材との両方を同時に押えると共に、定規はその表面だけではなくて、傾斜面を含めて定規を立体的に押圧したことによって、両者間に滑りが生じないようにした。
更に、広げた親指と人差指などで、定規本体の長手方向の離れた２点間を押圧するために、特に定規本体の両端部で、線を描くときに発生しやすい定規の横滑りによる傾斜状態を、完全に阻止するようにしたものである。
従って、素材に線を描くだけでなく、すべり易いガラスや合成樹脂などの、板を切断するための定規にも、使用できる押圧穴である。
更に、大型で幅の広い定規本体の場合は、親指と人差し指の２本の指を使うだけではなくて、親指を押し付ける第１の押圧穴と、人差指と中指更に薬指のように、複数本の指を並列させて同時に挿入する第２の押圧穴とで、形成した押圧穴であっても良い。
この場合の第２の押圧穴は、２本乃至３本の指で同時に押える複数個の集合穴よりなる押圧穴である。また、親指の変わりに手のひらで押えるようにした第１の押圧穴でも良い。
【図面の簡単な説明】
【００１３】
【図１】    本発明の滑り止め付き定規を示す斜視図である。
【図２】    図１の変形例を示す滑り止め付き定規の斜視図である。
【図３】    図１の使用例を示す説明図である。
【図４】    図３の作用を説明する説明図である。
【図５】    本発明の他の例で滑り止め付き定規を示す一部破断斜視図である。
【図６】    図５の変形例を示す一部破断斜視図である。
【図７】    本発明のその他の例で滑り止め付き定規を示す一部破断斜視図である。
【符号の説明】
【００１４】１０  滑り止め付き定規
１２  定規本体
１４  押圧穴
１６  第１の押圧穴
１７  傾斜
１８  第２の押圧穴
１９  傾斜
２０  滑り止め付き定規
２４  押圧穴
３０  滑り止め付き定規
３４  押圧穴
４０  滑り止め付き定規
４４  押圧穴
５０  滑り止め付き定規
５４  押圧穴
【図１】
2007038618.tif 000003
【図２】
2007038618.tif 000004
【図３】
2007038618.tif 000005
【図４】
2007038618.tif 000006
【図５】
2007038618.tif 000007
【図６】
2007038618.tif 000008
【図７】
2007038618.tif 000009